(57)【要約】【課題】受力球が自由球体に近い受力状態を如実に呈し、三次元情報またはデータを獲得するボール練習装置を提供する。【解決手段】ボール練習装置は、固定ユニット１０、第一回転ユニット３０、第二回転ユニット５０および従動ユニット７０を備える。第一回転ユニット３０は、スイングできるように固定ユニット１０に装着される。第二回転ユニット５０は、第一回転ユニット３０に接続される第一接続部５１と、第一接続部５１に対して位置をずらして移動する第二接続部５２とを有する。従動ユニット７０はスイングできるように第二回転ユニット５０に接続され、受力球９０を有する。受力球９０は外力によって作動し、固定ユニット１０に対し、三次元位置を変換可能である。受力球９０の感知ユニットおよびデータ処理モジュールによってシミュレーションされた受力球９０の距離および方位を推算できる。【選択図】図４
2012040124.tif 000002
【特許請求の範囲】
【請求項１】
固定ユニットと、
スイングできるように前記固定ユニットに装着される第一回転ユニットと、
前記第一回転ユニットに接続される第一接続部と、前記第一接続部に対して位置をずらして移動する第二接続部と、を有する第二回転ユニットと、
スイングできるように前記第二回転ユニットに接続され、受力球を有し、前記受力球は外力によって作動し、前記固定ユニットに対し、三次元位置を変換することができる従動ユニットと、
を備えることを特徴とするボール練習装置。
【請求項２】
前記固定ユニットは、底座およびキャップの組み合わせによって構成されることを特徴とする請求項１に記載のボール練習装置。
【請求項３】
固定ユニットと、
スイングできるように前記固定ユニットに装着される第一回転ユニットと、
前記第一回転ユニットに接続され、外力によって前記固定ユニットに対し回転する受力球を有する従動ユニットと、を備え、
前記従動ユニットの前記受力球は、感知ユニットを有し、前記感知ユニットは若干の三次元加速度および回転力のうちの少なくとも一つの情報またはデータを感知し、有線または無線方式によって少なくとも一つの情報またはデータを伝送することを特徴とするボール練習装置。
【請求項４】
前記感知ユニットからの前記少なくとも一つの情報またはデータを受信し、シミュレーションされた前記受力球の距離および方位を推算するデータ処理モジュールを備えることを特徴とする請求項３に記載のボール練習装置。
【請求項５】
前記第二回転ユニットは、前記第一接続部によって前記第一回転ユニットの軸方向に対し水平移動することを特徴とする請求項１に記載のボール練習装置。
【請求項６】
前記第二回転ユニットは、前記第一接続部によって前記第一回転ユニットの軸方向に対しスイングすることを特徴とする請求項１に記載のボール練習装置。
【請求項７】
前記従動ユニットは、電子方式または構築方式によって信号を伝送および判読することが可能な伝送部を有することを特徴とする請求項１または請求項３に記載のボール練習装置。
【請求項８】
光ゲートと、
少なくとも一つの軸を中心にスイングし、前記光ゲートに反応を起こすことによって特定された種類の情報およびデータを獲得することが可能な光ゲート盤と、
を備えることを特徴とする請求項１または請求項３に記載のボール練習装置。
【請求項９】
前記光ゲートは、前記固定ユニットに装着され、
前記光ゲート盤は、前記第一回転ユニットに装着され、前記第一回転ユニットに伴って回転可能であることを特徴とする請求項８に記載のボール練習装置。
【請求項１０】
前記第一回転ユニットは、スイングできるように前記固定ユニットに装着され、回転可能なように前記固定ユニットに装着される縦軸を有することを特徴とする請求項１または請求項３に記載のボール練習装置。
【請求項１１】
前記固定ユニットは、固定されて回転できない縦軸を有し、
前記第一回転ユニットは、回転可能なように前記固定ユニットの前記縦軸に装着されるスリーブを有することを特徴とする請求項１または請求項３に記載のボール練習装置。
【請求項１２】
前記従動ユニットを弾性的に連動させ、前記第二回転ユニットの二つ方向のうち少なくとも一つの方向に対し移動させる弾性支持ユニットを備えることを特徴とする請求項１または請求項３に記載のボール練習装置。
【請求項１３】
前記従動ユニットの回転ユニットと前記受力球との間は、剛性構造、非剛性構造または可撓性構造によって連結されることを特徴とする請求項１または請求項３に記載のボール練習装置。
【請求項１４】
前記従動ユニットの前記受力球は、感知ユニットを有し、
前記感知ユニットは、若干の三次元加速度および回転力のうちの少なくとも一つの情報またはデータを感知し、有線または無線方式によって前記少なくとも一つの情報またはデータを伝送することを特徴とする請求項１に記載のボール練習装置。
【請求項１５】
前記感知ユニットからの少なくとも一つの情報またはデータを受信し、シミュレーションされた前記受力球の距離および方位を推算するデータ処理モジュールを備えることを特徴とする請求項１４に記載のボール練習装置。
【発明の詳細な説明】
【技術分野】
【０００１】
本発明は、ボール練習装置に関する。
【背景技術】
【０００２】
従来のボール練習装置は、通常シャフトを囲んで回転およびスイング運動をする構造を採用する。つまり、受力球は力を受けると縦軸の軸心を囲んで回転することしかできないため、自由球体の力を受けた状態および移動状態は如実にシミュレーションできない。このようなボール練習装置は三次元運動機能がないだけでなく、受力球には感知して反応を起こすことができる三次元センサーが付いていないため、三次元情報またはデータを提供することができない。かつ三次元運動のデータを推算で処理する機能も付いていないため、受力球の移動方位および移動距離を正確にシミュレーションすることが難しい。従って、上述した構造には改善の余地がある。
なお、ボール練習装置は例えば、特許文献１に開示されている。
【先行技術文献】
【特許文献】
【０００３】
【特許文献１】特開２０１０−１５５１６７号公報
【発明の概要】
【発明が解決しようとする課題】
【０００４】
本発明の主な目的は、受力球が自由球体に近い受力状態を如実に呈することによって少なくとも一つの三次元情報またはデータを獲得し、かつ構造が改良されたことによって、作動がスムーズで反応が機敏となっただけでなく着脱および取り替えに非常に便利で耐用性を有するボール練習装置を提供することである。
【課題を解決するための手段】
【０００５】
上述の目的を達成するため、本発明によるボール練習装置は、固定ユニット、第一回転ユニット、第二回転ユニットおよび従動ユニットを備える。第一回転ユニットは、スイングできるように固定ユニットに装着される。第二回転ユニットは、第一回転ユニットに接続される第一接続部と、第一接続部に対して位置をずらして移動する第二接続部とを有する。従動ユニットはスイングできるように第二回転ユニットに接続され、受力球を有する。受力球は外力によって作動し、固定ユニットに対し、三次元位置を変換可能である。これにより、多次元データを提供可能である。
【図面の簡単な説明】
【０００６】
【図１】本発明の第１実施形態によるボール練習装置を示す斜視図である。
【図２】本発明の第１実施形態によるボール練習装置を示す正面図である。
【図３】本発明の第１実施形態によるボール練習装置を示す平面図である。
【図４】本発明の第１実施形態によるボール練習装置を示す断面図である。
【図５】本発明の第１実施形態によるボール練習装置の作動状態を示す断面図である。
【図６】本発明の第２実施形態によるボール練習装置を示す断面図である。
【発明を実施するための形態】
【０００７】
以下、本発明によるボール練習装置を図面に基づいて説明する。
（第１実施形態）
図１から図５に示すように、ボール練習装置は、固定ユニット１０、光ゲート２０、第一回転ユニット３０、光ゲート盤４０、第二回転ユニット５０および従動ユニット７０を備える。
【０００８】
固定ユニット１０は、底座１１、中間座１２およびキャップ１３を組み合わせることによって構成される。キャップ１３は底座１１に対して回転可能である。
光ゲート２０は、固定ユニット１０に装着される。
第一回転ユニット３０は、スイングできるように固定ユニット１０に装着され、縦軸３１を有する。縦軸３１は回転可能なように固定ユニット１０に装着される。
【０００９】
光ゲート盤４０は、第一回転ユニット３０に装着され、第一回転ユニット３０に伴って回転可能である。光ゲート盤４０は、少なくとも一つの軸を中心にスイングする際、光ゲート２０に反応を起こすことによって特定された種類の情報またはデータを獲得する。
【００１０】
第二回転ユニット５０は、第一回転ユニット３０に接続される第一接続部５１と、第一接続部５１に対して位置をずらして移動する第二接続部５２とを有する。つまり、第一回転ユニット５０は、第一接続部５１によって第一回転ユニット３０の軸方向に対してスイングすることができる。
【００１１】
従動ユニット７０は、スイングできるように第二回転ユニット５０に接続され、受力球９０を有する。受力球９０は外力によって作動し、固定ユニット１０に対し、三次元位置を変換する。
【００１２】
従動ユニット７０の受力球９０は、感知ユニット（図中未表示）を有することができる。感知ユニットは、若干の三次元加速度および回転力のうちの少なくとも一つの情報またはデータを感知し、有線または無線方式によってそれらを伝送する。
【００１３】
従動ユニット７０は、さらに伝送部８０を有する。伝送部８０は、回転ユニット７１と受力球９０との間に配置され、無線伝送関連ユニットまたはそれに相当するユニットを有し、無線信号によって感知ユニットの情報またはデータを伝送または受信する。従動ユニット７０の伝送部８０と受力球９０とは互いに対応して回転することができない。
【００１４】
ボール練習装置は、オンラインによってデータ処理モジュール（図中未表示）に接続することができる。データ処理モジュールは、有線または無線方式によって、感知ユニット（図中未表示）からの少なくとも一つの情報またはデータを受信し、シミュレーションされた受力球９０の距離および方位を推算する。
【００１５】
ボール練習装置が操作される際、図４に示すように、第二回転ユニット５０は、従動ユニット７０の重量を受けて、第一接続部５１を中心に下へスイングし、所定の平台（図中未表示）まで落下することによって力を容易に受ける位置をユーザーに提供する。
【００１６】
従動ユニット７０の受力球９０が力を受けて移動する際、受力方向および力の大きさが異なることによって、従動ユニット７０は、受力球９０とともに連動し、軸または接続部を中心に回転する。このとき第二回転ユニット５０は、従動ユニット７０とともに連動し、軸または接続部を中心に回転する。第一回転ユニット３０は、第二回転ユニット５０とともに連動し、軸または接続部を中心に固定ユニット１０の軸方向に対し回転する。図５に示すのは回転できる時の瞬間位置に据えられる状態である。
【００１７】
（第２実施形態）
図６に示すように、ボール練習装置はさらに弾性支持ユニット６０を備える。弾性支持ユニット６０は、二つのスプリング６１、６２を有する。二つのスプリング６１、６２は、従動ユニット７０Ａを弾性的に連動させ、第二回転ユニット５０Ａの二つ方向のうち少なくとも一つの方向に対し移動させ、より正確または追加の三次元加速度および回転力などの情報またはデータを増加させる。
【００１８】
第二回転ユニット５０Ａは、第一接続部５１によって第一回転ユニット３０の軸方向に対し水平移動する（図中未表示）。つまり第二回転ユニット５０Ａは、第一回転ユニット３０を囲んで回転する。第二回転ユニット５０Ａは、第一回転ユニット３０の軸方向に対し、位置をずらしてスイングすることをせず、第一回転ユニット３０の軸方向に対し、スライドするため、受力球９０を三次元移動させることを達成することができる。
【００１９】
第一回転ユニット３０は、固定ユニット１０の縦軸方向に沿って移動することができる。その原理は上述と同じであるため、受力球９０を三次元移動させることを達成することができる。
【００２０】
固定ユニット１０は、固定されて回転できない縦軸（図中未表示）を配置することができる。第一回転ユニット３０は、回転可能なように固定ユニット１０の縦軸に装着されるスリーブを有してもよい。
【００２１】
本発明は上述した構造に限らない。本発明は、光ゲートおよび光ゲート盤を使用せず、従動ユニットの受力球の感知ユニット（図中未表示）、およびデータ処理モジュール（図中未表示）のみによってシミュレーションされた受力球の距離を推算することもできる。
【００２２】
本発明の部品は上述した通り回転またはスイングする際、全周回転に制限されず、所定の区間の角度内にスイングすることによって上述した使用目的および機能を達成することもできる。
【００２３】
上記実施形態では、従動ユニット７０の回転ユニット７１と受力球９０との間は剛性構造によって連結されることとしたが、本発明では、非剛性構造または可撓性構造、例えば可撓性のあるワイヤロープ、ロープまたはスプリングなどの変形可能な類似物によって連結されてもよい。従動ユニットの受力球は力を受けて移動する際、飛行またはランなどの状態をより如実に呈することができる。従って、本発明の目的および所期の効果を達成することができる。
【００２４】
上記実施形態では、伝送部８０は電子方式によって信号を伝送および判読することとしたが、本発明では、構築方式によって信号を伝送及び判読することもできる。
【００２５】
上述した実施形態および説明により、本発明によるボール練習装置において、従動ユニットが操作される際、受力球は自由球体に近い移動状態を如実に呈するため、少なくとも一つの三次元情報またはデータを獲得することができる。本発明は、構造が改良されたことによって、作動がスムーズで反応が機敏となっただけでなく着脱および取り替えに非常に便利で耐用性を有する。
【００２６】
以上、本発明は、上記実施形態になんら限定されるものではなく、発明の趣旨を逸脱しない範囲において種々の形態で実施可能である。
【符号の説明】
【００２７】
１０  ・・・固定ユニット、
１１  ・・・底座、
１２  ・・・中間座、
１３  ・・・キャップ、
２０  ・・・光ゲート、
３０  ・・・第一回転ユニット、
３１  ・・・縦軸、
４０  ・・・光ゲート盤、
５０  ・・・第二回転ユニット、
５０Ａ・・・第二回転ユニット、
５１  ・・・第一接続部、
５２  ・・・第二接続部、
６０  ・・・弾性支持ユニット、
６１  ・・・スプリング、
６２  ・・・スプリング、
７０  ・・・従動ユニット、
７０Ａ・・・従動ユニット、
７１  ・・・回転ユニット、
８０  ・・・伝送部、
９０  ・・・受力球。
【図１】
2012040124.tif 000003
【図２】
2012040124.tif 000004
【図３】
2012040124.tif 000005
【図４】
2012040124.tif 000006
【図５】
2012040124.tif 000007
【図６】
2012040124.tif 000008